(57)【要約】      （修正有）【課題】マッサージ効果や美容効果の高い美容器具を提供する。【解決手段】美容器具１は、テラ鉱石によって形成された凹部１０ａを第１端部に有する本体部１０と、本体部１０の内部に収容されて本体部１０を振動させる振動部１１と、を備えている。また、美容器具１は、本体部１０における、第２端部に、テラ鉱石によって形成された棒状部１０ｂをさらに一体に有している。さらに、美容器具１は、本体部１０における、側面部に、テラ鉱石によって形成された波形部１０ｃを一体に有している。【選択図】図１
0003235474.tif 000002
【実用新案登録請求の範囲】
【請求項１】
テラ鉱石によって形成された凹部を第１端部に有する本体部と、
前記本体部の内部に収容されて前記本体部を振動させる振動部と、
を備える、美容器具。
【請求項２】
前記本体部における、前記第１端部の反対側の第２端部に、テラ鉱石によって形成された棒状部をさらに一体に有する、請求項１に記載された、マッサージ器具。
【請求項３】
前記本体部における、前記第１端部と前記第２端部の間の側面部に、テラ鉱石によって形成された波形部をさらに一体に有する、請求項１又は請求項２に記載された、美容器具。
【請求項４】
前記本体部の厚みは、全体が略均一に形成される、請求項１乃至請求項３のいずれか一項に記載された、美容器具。
【請求項５】
テラ鉱石によって形成された、少なくとも１つの平板状の鉱石部と、
前記鉱石部の内部に収容されて前記鉱石部を振動させる振動部と、
中央近傍に前記鉱石部が取り付けられるとともに、両端近傍に互いに係合する面ファスナーが取り付けられるベルト部と、
を備える、美容器具。
【請求項６】
テラ鉱石によって形成された塊状の鉱石部と、
前記鉱石部の内部に収容されて前記鉱石部を振動させる振動部と、
Ｕ字状に湾曲されたアーム部であって、一方の端部に前記鉱石部が取り付けられるとともに、他方の端部に把手が取り付けられる、アーム部と、
を備える、美容器具。
【考案の詳細な説明】
【技術分野】
【０００１】
本考案は、テラ鉱石を使用した美容器具に関するものである。
【背景技術】
【０００２】
近年、テラ鉱石を加工した美顔ローラ―が知られている。このテラ鉱石は、一秒間に１兆回の周波数で振動しており、赤外線を含むテラヘルツ帯のエネルギーを放出し続けている。このテラヘルツ帯の周波数は、水や細胞の微細振動に極めて近いため、体内の水分や細胞の活性化を助けるものと考えられている。
【０００３】
このようなテラ鉱石を使用したマッサージ器具として、例えば特許文献１には、テラ鉱石などの粉末が付着されて、つま先から膝を覆う袋体と、袋体に給気／排気を行う空気ポンプと、を備え、袋体は加熱部と空気袋とを有し、空気袋に給気／排気することにより脚部をマッサージするマッサージブーツが開示されている。
【先行技術文献】
【特許文献】
【０００４】
【特許文献１】特開２０１９−１５０６７７号公報
【考案の概要】
【考案が解決しようとする課題】
【０００５】
しかしながら、前述した特許文献１のマッサージブーツは、テラ鉱石の粉末を付着させて使用しているため、効果が限定されたものであった。さらに、美容器具ではないため、美容器具としての効能を発揮しにくい態様であった。
【０００６】
そこで、本考案は、マッサージ効果や美容効果の高い美容器具を提供することを目的としている。
【課題を解決するための手段】
【０００７】
前記目的を達成するために、第１の考案の美容器具は、テラ鉱石によって形成された凹部を第１端部に有する本体部と、前記本体部の内部に収容されて前記本体部を振動させる振動部と、を備えていることを特徴としている。
【０００８】
また、第２の考案の美容器具は、前記本体部における、前記第１端部の反対側の第２端部に、テラ鉱石によって形成された棒状部をさらに一体に有していることを特徴としている。
【０００９】
さらに、第３の考案の美容器具は、前記本体部における、前記第１端部と前記第２端部の間の側面部に、テラ鉱石によって形成された波形部をさらに一体に有していることを特徴としている。
【００１０】
また、第４の考案の美容器具は、前記本体部の厚みは、全体が略均一に形成されていることを特徴としている。
【００１１】
さらに、第５の考案の美容器具は、テラ鉱石によって形成された、少なくとも１つの平板状の鉱石部と、鉱石部の内部に収容されて鉱石部を振動させる振動部と、中央近傍に前記鉱石部が取り付けられるとともに、両端近傍に互いに係合する面ファスナーが取り付けられるベルト部と、を備えることを特徴としている。
【００１２】
さらに、第６の考案の美容器具は、テラ鉱石によって形成された塊状の鉱石部と、鉱石部の内部に収容されて鉱石部を振動させる振動部と、Ｕ字状に湾曲されたアーム部であって、一方の端部に前記鉱石部が取り付けられるとともに、他方の端部に把手が取り付けられる、アーム部と、を備えることを特徴としている。
【考案の効果】
【００１３】
このように、第１の考案の美容器具は、テラ鉱石によって形成された凹部を第１端部に有する本体部と、本体部の内部に収容されて本体部を振動させる振動部と、を備えていることを特徴としている。このような構成であれば、テラ鉱石が本来持つ微細なテラヘルツ帯の振動に加えて、振動部によって異なる周波数帯の振動を付加することで、きわめて高い美容効果を奏する。
【００１４】
また、第２の考案の美容器具は、本体部における、第１端部の反対側の第２端部に、テラ鉱石によって形成された棒状部をさらに一体に有していることを特徴としている。このため、棒状部の先端によって、つぼをピンポイントで押すことができる。
【００１５】
さらに、第３の考案の美容器具は、本体部における、第１端部と第２端部の間の側面部に、テラ鉱石によって形成された波形部をさらに一体に有していることを特徴としている。このため、波形部によって特に頭部を効率よくマッサージすることができる。
【００１６】
また、第４の考案の美容器具は、本体部の厚みは、全体が略均一に形成されていることを特徴としている。このため、床に置いた状態で人間が載ることによって、例えば背中を効率よくマッサージすることができる。
【００１７】
さらに、第５の考案の美容器具は、テラ鉱石によって形成された、少なくとも１つの平板状の鉱石部と、鉱石部の内部に収容されて鉱石部を振動させる振動部と、中央近傍に鉱石部が取り付けられるとともに、両端近傍に互いに係合する面ファスナーが取り付けられるベルト部と、を備えることを特徴としている。このような構成であれば、ベルト部を腰に巻き付けて使用することで、腰を効率よくマッサージすることができる。
【００１８】
さらに、第６の考案の美容器具は、テラ鉱石によって形成された塊状の鉱石部と、鉱石部の内部に収容されて鉱石部を振動させる振動部と、Ｕ字状に湾曲されたアーム部であって、一方の端部に鉱石部が取り付けられるとともに、他方の端部に把手が取り付けられる、アーム部と、を備えることを特徴としている。このような構成であれば、把手を持ってアーム部を操作することによって、手が届かない背中側を容易にマッサージすることができる。
【図面の簡単な説明】
【００１９】
【図１】実施例１の美容器具の平面図である。
【図２】実施例１の美容器具の左側面図である。
【図３】実施例２の美容器具の平面図である。
【図４】実施例３の美容器具の正面図である。
【考案を実施するための形態】
【００２０】
以下、本考案の実施の形態について図面を参照して説明する。ただし、以下の実施例に記載されている構成要素は例示であり、本考案の技術範囲をそれらのみに限定する趣旨のものではない。
【実施例１】
【００２１】
（構成）
はじめに、図１及び図２を用いて本実施例の美容器具１の全体構成を説明する。本実施例の美容器具１は、図１及び図２に示すように、テラ鉱石によって形成された凹部１０ａを第１端部に有する本体部１０と、本体部１０の内部に収容されて本体部１０を振動させる振動部１１と、を備えている。
【００２２】
ここにおいて、「テラ鉱石」とは、「テラヘルツ鉱石」とも称され、水晶を高温で溶かして抽出された高純度のケイ素が再結晶化されて構成されたものである。このテラ鉱石は「テラヘルツ波」と呼ばれる電磁波を放出している。テラヘルツ波は、電波と光の特性を持っており、1秒間に1兆回振動する電磁波である。このテラヘルツ波は、人体に適用すると体温が上昇したり、細胞のゆがみが改善されて活性化されたりすることが知られている。また、テラ鉱石は、高い熱伝導率を有していることも知られている。
【００２３】
本体部１０は、全体がテラ鉱石を扁平状に研磨し、内部に振動部１１を収容するための空間を形成したものである。そして、本体部１０の厚みは、全体が略均一に形成されている。すなわち、図２に示すように、全体として例えば約１０ｍｍ〜４０ｍｍの略均一の厚みを有し、丸みを帯びた（角丸の）板状に形成されている。平面形状としては、凹部１０ａ、棒状部１０ｂ、波形部１０ｃなどを備えている。
【００２４】
凹部１０ａは、本体部１０の第１端部（図１では左端）に配置されている。凹部１０ａは、２つの突出した箇所の間に凹んだ箇所が形成された、先割れの２股形状になっている。それぞれの突出した部分は、角のない、丸みを帯びた形状となっている。例えば、先割れの２股形状のそれぞれの幅は約１０ｍｍ〜２０ｍｍとされ、凹んだ箇所の幅は約１０ｍｍ〜２０ｍｍとされることが好ましい。凹部１０ａは、凹んだ箇所に脊椎をあてがい、２股形状の先端部を脊椎に沿って移動させることで「脊椎マッサージ機能」を有している。
【００２５】
振動部１１は、詳細には図示しないが、例えば、小型の電動モータ、偏心おもり、電池、スイッチ（ＯＮ／ＯＦＦ切換）等によって構成されている。したがって、スイッチＯＮにすると、電池から電気が供給された電動モータが回転して、偏心おもりが回転軸周りに偏心しつつ回転することで、１秒間に約５０回〜１００回振動するようになっている。
【００２６】
さらに、美容器具１は、本体部１０における、第１端部の反対側の第２端部（図１では右端）に、テラ鉱石によって形成された棒状部１０ｂをさらに一体に有している。すなわち、棒状部１０ｂは、全体としては棒状に形成され、先端部は丸みを帯びた形状（半球状）となっている。棒状部１０ｂは、凹部１０ａを使用する際の持ち手としての「持ち手機能」と、「つぼ」をピンポイントで押すための「つぼ押し機能」と、を有している。
【００２７】
また、美容器具１は、本体部１０における、第１端部と第２端部の間の側面部に、テラ鉱石によって形成された波形部１０ｃをさらに一体に有している。すなわち、波形部１０ｃは、４つの丸みを帯びた突出部と、突出部の間の３つの凹んだ箇所と、によって波形状に形成されている。さらに、４つの突出部の先端は、中央寄りの２つの突出部が少し奥に控えた形状となっている。すなわち、波形部１０ｃは、頭部になじみやすいように、全体として円弧状に窪んだ形状となっている。
【００２８】
（作用・効果）
次に、本実施例の美容器具１が奏する作用・効果を列挙して説明する。
【００２９】
（１）上述してきたように、本考案の実施例１の美容器具１は、テラ鉱石によって形成された凹部１０ａを第１端部に有する本体部１０と、本体部１０の内部に収容されて本体部１０を振動させる振動部１１と、を備えている。このような構成であれば、テラ鉱石が本来持つ微細なテラヘルツ帯の振動に加えて、振動部１１によって異なる周波数帯の振動を付加することで、きわめて高い美容効果を奏する。
【００３０】
（２）また、美容器具１は、本体部１０における、第１端部の反対側の第２端部に、テラ鉱石によって形成された棒状部１０ｂをさらに一体に有している。このため、棒状部１０ｂの先端によって、つぼをピンポイントで押すことができる。さらに、凹部１０ａを使用する際に、棒状部１０ｂを持ち手として利用できる。
【００３１】
（３）さらに、美容器具１は、本体部１０における、第１端部と前記第２端部の間の側面部に、テラ鉱石によって形成された波形部１０ｃをさらに一体に有している。このため、波形部によって特に頭部を効率よくマッサージすることができる。さらに、棒状部１０ｂや凹部１０ａを使用する際に、波形部１０ｃの凹凸を利用することで、滑りにくく持ちやすくなる。
【００３２】
（４）また、美容器具１は、本体部１０の厚みは、全体が略均一に形成されている。このため、床に置いた状態で人間が載ることによって、例えば背中を効率よくマッサージすることができる。
【実施例２】
【００３３】
以下、図３を用いて、実施例１とは別の形態の美容器具２について説明する。なお、実施例１で説明した内容と同一乃至均等な部分の説明については同一符号を付して説明する。
【００３４】
まず構成について説明する。本実施例の美容器具２は、テラ鉱石によって形成された、少なくとも１つ（図３では２つ）の平板状の鉱石部２０、２０と、鉱石部２０、２０の内部に収容されて鉱石部２０、２０を振動させる振動部２１、２１と、中央近傍に鉱石部２０、２０が取り付けられるとともに、両端近傍に互いに係合する面ファスナー２２ａ、２２ｂが取り付けられるベルト部２２と、を備えている。
【００３５】
次に作用について説明する。本実施例の美容器具２は、平板状の鉱石部２０、２０と、鉱石部２０、２０を振動させる振動部２１、２１と、中央近傍に鉱石部２０、２０が取り付けられ、両端近傍に互いに面ファスナー２２ａ、２２ｂが取り付けられるベルト部２２と、を備えている。このような構成であれば、ベルト部２２を腰に巻き付けて使用することで、腰を効率よくマッサージすることができる。
【００３６】
なお、この他の構成および作用効果については、前記実施の形態と略同様であるため説明を省略する。
【実施例３】
【００３７】
以下、図４を用いて、実施例１、２とは別の形態の美容器具３について説明する。なお、実施例１、２で説明した内容と同一乃至均等な部分の説明については同一符号を付して説明する。
【００３８】
まず構成について説明する。本実施例の美容器具３は、テラ鉱石によって形成された塊状の鉱石部３０と、鉱石部３０の内部に収容されて鉱石部３０を振動させる振動部３１と、Ｕ字状に湾曲されたアーム部３２であって、一方の端部に鉱石部３０が取り付けられるとともに、他方の端部に把手３３が取り付けられる、アーム部と、を備えている。
【００３９】
次に作用について説明する。本実施例の美容器具３は、塊状の鉱石部３０と、鉱石部３０を振動させる振動部３１と、Ｕ字状に湾曲されたアーム部３２であって、一端に鉱石部３０が取り付けられ、他端に把手３３が取り付けられる、アーム部３２と、を備えている。このような構成であれば、把手３３を持ってアーム部３２を操作することによって、手が届かない背中側を鉱石部３０によって容易にマッサージすることができる。
【００４０】
なお、この他の構成および作用効果については、前記実施の形態と略同様であるため説明を省略する。
【００４１】
以上、図面を参照して、本考案の実施例を詳述してきたが、具体的な構成は、この実施例に限らず、本考案の要旨を逸脱しない程度の設計的変更は、本考案に含まれる。
【符号の説明】
【００４２】
１          美容器具
１０        本体部
１０ａ      凹部
１０ｂ      棒状部
１０ｃ      波形部
１１        振動部
２          美容器具
２０        鉱石部（平板状）
２１        振動部
２２ａ      面ファスナー
２２ｂ      面ファスナー
３          美容器具
３０        鉱石部（塊状）
３１        振動部
３２        アーム部
３３        把手
【図１】
0003235474.tif 000003
【図２】
0003235474.tif 000004
【図３】
0003235474.tif 000005
【図４】
0003235474.tif 000006